(57)【要約】【課題】  画像記録装置に携帯端末を接続したときに、携帯端末に格納されているデータのうちで、ユーザが望むデータのみを印字することができ、したがって、無駄な紙、インク等の消費を抑えることができる画像記録装置を提供することを目的とする。【解決手段】  携帯端末内に、画像データ等を格納しているデータ情報格納手段と、データ情報格納手段に対する検索条件を設定する検索条件設定手段と、データ情報格納手段に格納されている情報と、検索条件設定手段によって設定された検索条件とを比較し、検索条件に一致する画像データ等が携帯端末内に存在していると判断されると、存在している画像データ等の転送を指示するデータ転送指示手段と、データ転送指示手段が指示した画像データ等を受信するデータ受信手段と、データ受信手段が受信したデータを印字する印字手段とを有する。【選択図】  図１
2006035625.tif 000002
【特許請求の範囲】
【請求項１】
携帯端末との接続を検知する接続検知手段と；
上記携帯端末内に、画像データ、または、文字データの情報を格納しているデータ情報格納手段と；
上記データ情報格納手段に対する検索条件を設定する検索条件設定手段と；
上記接続検知手段が上記携帯端末との接続を検知すると、上記データ情報格納手段に格納されている情報と、上記検索条件設定手段によって設定された検索条件とを比較する比較手段と；
上記比較手段が比較した結果、検索条件に一致する画像データまたは文字データが携帯端末内に存在していると判断されると、上記存在している画像データまたは文字データの転送を指示するデータ転送指示手段と；
上記データ転送指示手段が指示した画像データ、または、文字データを受信するデータ受信手段と；
上記データ受信手段が受信したデータを印字する印字手段と；
を有することを特徴とする画像記録装置。
【請求項２】
請求項１において、
上記検索条件は、日時であることを特徴とする画像記録装置。
【請求項３】
請求項１において、
上記検索条件は、相対的な日付であることを特徴とする記録装置。
【請求項４】
請求項１において、
上記検索条件は、送信元のメールアドレスであることを特徴とする画像記録装置。
【請求項５】
請求項１において、
上記検索条件は、受信メールあるいは画像に付加されている所定のマークであることを特徴とする画像記録装置。
【請求項６】
請求項１において、
時計機能と；
上記携帯端末内の日時データを取得する日時データ取得手段と；
検索条件を決定する検索条件決定手段と；
を有し、上記検索条件決定手段は、上記日時データ取得手段が取得した上記携帯端末内の日時、上記時計機能から得られる自機内側の日時と、上記検索条件設定手段によって設定された検索条件とによって、検索条件を決定する手段であることを特徴とする画像記録装置。
【請求項７】
請求項５または請求項６において、
上記検索条件は、相対的な日付であることを特徴とする画像記録装置。
【発明の詳細な説明】
【技術分野】
【０００１】
本発明は、携帯端末と接続し、携帯端末内の画像データ、受信メールデータを記録可能な画像記録装置に関する。
【背景技術】
【０００２】
従来、画像記録装置に携帯端末を接続し、この接続された携帯端末内のメールデータを、上記画像記録装置で印刷する場合、電子メール着信有無を検知し、着信があると自動的に、または表示部と操作パネルによって選択することによって、画像記録装置で電子メールを印刷する（たとえば、特許文献１参照）。
【０００３】
上記従来例では、着信メールを１件ずつユーザが確信して記録するか、または全ての受信メールを記録する。
【０００４】
また、携帯端末内の文字データや画像データを、画像記録装置で印刷する場合、画像記録装置が携帯端末と接続されていることを検知すると、携帯端末側の表示部に表示されている文字データや画像データを取り込み、保存し、また、印刷する技術が提案されている（たとえば、特許文献２参照）。
【特許文献１】特開２００１−２５１４０８号公報
【特許文献２】特開２００２−１１１９４５号公報
【発明の開示】
【発明が解決しようとする課題】
【０００５】
ところで、近年、デジタルスティルカメラのように、デジタル画像を取り込む機能を有する携帯端末が増え、また、その解像度も増加している。また、携帯端末で写した画像データを蓄積するための内蔵メモリ、または携帯端末から取り外し可能なリムーバルメディアの蓄積容量が拡大し、また、コストの低価格が進み、大規模なメモリを搭載した携帯端末が登場している。
【０００６】
これによって、大量の画像データや受信メール等が、携帯端末に蓄積されている可能性があり、それら大量のデータを保存、または印字を行う際に、上記従来例では、携帯端末内のデータを全て、印字、保存するか、または、大量のデータのなかから、ユーザが１つずつデータを指定するしか方法がなく、したがって、ユーザの使い勝手が悪いと言う問題がある。
【０００７】
また、上記従来例では、必要のないデータまで記録されることがあり、この場合には、紙とインクが無駄使いされ、ランニングコストを悪化させるという問題がある。
【０００８】
本発明は、画像記録装置に携帯端末を接続したときに、上記携帯端末に格納されているデータのうちで、ユーザが望むデータのみを印字することができ、したがって、無駄な紙、インク等の消費を抑えることができる画像記録装置を提供することを目的とするものである。
【課題を解決するための手段】
【０００９】
本発明は、携帯端末との接続を検知する接続検知手段と、上記携帯端末内に、画像データ、または、文字データの情報を格納しているデータ情報格納手段と、上記データ情報格納手段に対する検索条件を設定する検索条件設定手段と、上記接続検知手段が上記携帯端末との接続を検知すると、上記データ情報格納手段に格納されている情報と、上記検索条件設定手段によって設定された検索条件とを比較する比較手段と、上記比較手段が比較した結果、検索条件に一致する画像データまたは文字データが携帯端末内に存在していると判断されると、上記存在している画像データまたは文字データの転送を指示するデータ転送指示手段と、上記データ転送指示手段が指示した画像データ、または、文字データを受信するデータ受信手段と、上記データ受信手段が受信したデータを印字する印字手段とを有する画像記録装置である。
【発明の効果】
【００１０】
本発明によれば、画像記録装置に携帯端末を接続したときに、上記携帯端末に格納されているデータのうちで、ユーザが望むデータのみを印字することができ、したがって、無駄な紙、インク等の消費を抑えることができるという効果を奏する。
【発明を実施するための最良の形態】
【００１１】
発明を実施するための最良の形態は、次の実施例である。
【実施例１】
【００１２】
図１は、本発明の実施例１である画像記録装置１００の構成を示すブロック図である。
【００１３】
画像記録装置１００は、ＣＰＵ１と、ＲＯＭ２と、ＲＡＭ３と、画像メモリ４と、操作部５と、読取制御部６と、読取部（ＣＳ）７と、シート読取制御部８と、ブック読取制御部９と、通信制御部１０と、ＪＰＥＧ処理部１１と、色変換部１２と、記録制御部１３と、カラープリンタ１４と、カードリーダＩ／Ｆ部１５と、カードリーダ１６と、携帯端末Ｉ／Ｆ１７と、携帯端末Ｉ／Ｆ制御部１８とを有する。
【００１４】
ＣＰＵ１は、システム制御部であり、画像記録装置１００の全体を制御する。
【００１５】
ＲＯＭ２は、ＣＰＵ１の制御プログラムやオペレーティングシステム（ＯＳ）プログラム等を格納する。ＲＯＭ２に格納されているオペレーティングプログラムに基づいて、携帯端末２００内のデータの情報を獲得するための検索条件を、ＣＰＵ１が設定し、比較する。また、２値画像の符号化復号化のための、ＭＨ、ＭＲ、ＭＭＲ、ＪＢＩＧの圧縮伸長処理、カラーファクシミリ通信用のカラー画像に対するＪＰＥＧ圧縮伸長処理の制御プログラムが、ＲＯＭ２に格納されている。
【００１６】
ＲＡＭ３は、ＳＲＡＭ等で構成され、プログラム制御変数等を格納する。また、オペレータが登録した設定値や装置の管理データ等や各種ワーク用バッファも、ＲＡＭ３に格納される。
【００１７】
画像メモリ４は、ＤＲＡＭ等で構成され、画像データを蓄積する。実施例１では、ＲＯＭ２に格納されている各制御プログラムは、ＲＯＭ２に格納されているＯＳの管理下で、スケジューリングやタスクスイッチ等のソフトウエア制御が行われる。
【００１８】
操作部５は、各種キー、ＬＥＤ，ＬＣＤ等で構成され、オペレータによる各種入力操作や、画像記録装置１００の動作状況の表示等を行う。実施例１では、携帯端末２００内のデータを獲得するための検索条件の設定を、操作部５で実行する。
【００１９】
読取制御部６は、読取部７におけるＣＳイメージセンサ（密着型イメージセンサ）が原稿を光学的に読み取り、電気的な画像データに変換した画像信号を、画像処理制御部によって２値化処理、γ補正、中間調処理等の各種画像処理を施し、高精細な画像データを出力する。なお、実施例１における読取制御部６は、自動原稿搬送装置ＡＤＦによって原稿を搬送しながら読み取るシート読取制御部８と、原稿台に載置されている原稿を、読取部７を移動させながら読み取るブック読取制御部９の両方式に対応し、いずれかの読取方式を選択して読み取りを行う。
【００２０】
通信制御部１０は、ＭＯＤＥＭ（変復調装置）、ＮＣＵ（網制御装置）等によって構成されている。実施例１における通信制御部１０は、アナログの通信回線（ＰＳＴＮ）に接続され、Ｔ３０プロトコルでの通信制御、通信回線に対する発呼、着呼等の回線制御を行う。
【００２１】
ＪＰＥＧ処理部１１は、カラー画像のＪＰＥＧ圧縮伸長を行い、読取制御部６を通じて読み取られたカラーデータを、画像メモリ４に蓄積し、または、デコードする。また、カードリーダ１６からＪＰＥＧ画像を読み取り、画像メモリ４に蓄積されたＪＰＥＧ画像データをデコードするときに使用する。
【００２２】
色変換部１２は、読取制御部６で読み取られたＲＧＢデータや、カードリーダから読み取られ、画像メモリ４を通して、ＪＰＥＧ処理部１１でＲＧＢに変換されたＲＧＢデータを、カラープリンタ１４が記録可能なＣＭＹＫへ変換する。また、受信画像やレポート出力時に作成されたモノクロデータをスムージング処理し、記録濃度補正処理等の各種画像処理を行う。
【００２３】
記録制御部１３は、カラープリンタ１４において、プリンタステータス情報の取得や、色変換部１２で変換されたＣＭＹＫの画像データを、カラープリンタ１４で印字可能なページ記述言語にデータ変換し、この変換されたプリントデータを、カラープリンタ１４に出力し、記録させる。
【００２４】
カラープリンタ１４は、レーザビームプリンタ、インクジェットプリンタ等である。
【００２５】
カードリーダＩ／Ｆ部１５は、カードリーダ１６に接続するためのインタフェースである。なお、実施例１では、ＵＳＢインタフェースを用いる。
【００２６】
カードリーダ１６は、デジタルスチルカメラが使用するメモリカードを検知し、解析し、データ転送する。たとえば、コンパクトフラッシュ（登録商標）カード（ＣＦカード）を装填し、ＣＦカードの内容を解析する。ＣＰＵ１から要求のあった画像データを転送する。また、ＣＰＵ１から要求のあったデータを、装填されたメモリカードに記録する。カードリーダ１６とは、ＵＳＢのＭａｓｓ  ＳｔｏｒａｇｅクラスのＵＦＩコマンドを使用して通信される。
【００２７】
携帯端末Ｉ／Ｆ制御部１８は、携帯端末２００が接続するためのインタフェースの制御部である。このインタフェースから携帯端末２００等に接続することができる。接続方法として、ＵＳＢ、ＢＬＵＥＴＯＯＴＨがあり、データを送受することができれば、他の接続方法を使用するようにしてもよい。
【００２８】
図２は、画像記録装置１００と接続される携帯端末２００の概略構成を示すブロック図である。
【００２９】
携帯端末２００は、携帯電話機等であり、ＣＰＵ２１と、ＲＯＭ２２と、画像メモリ２３と、操作部２４と、メモリカードＩ／Ｆ制御部２５と、メモリカード２６と、ＲＡＭ２７と、表示部２８と、外部Ｉ／Ｆ制御部２９と、画像撮影部３０と、通信部３１と、ＣＰＵバス３２とを有する。
【００３０】
ＣＰＵ２１は、システム制御部であり、携帯端末２００の全体を制御する。
【００３１】
ＲＯＭ２２は、ＣＰＵ２１が実行する制御プログラムやオペレーティングシステム（ＯＳ）プログラム等を格納する。ＲＯＭ２２に格納されている各制御プログラムは、ＲＯＭ２２に格納されている組み込みＯＳの管理下で、スケジューリングやタスクスイッチ等のソフトウェア制御を行う。
【００３２】
画像メモリ２３は、ＤＲＡＭ（ｄｙｎａｍｉｃ  ＲＡＭ）等で構成され、画像データを蓄積する。
【００３３】
操作部２４は、携帯端末２００の操作部としてキーを持つ部である。実施例１では、携帯端末２００として、携帯電話機を想定しているので、テンキー、メニューキー、メールキー、撮影キー等複数のキーが、操作部２４に設けられている。
【００３４】
メモリカードＩ／Ｆ制御部２５は、携帯端末２００に挿入することができるメモリカードのインタフェースを制御する。
【００３５】
メモリカード２６は、データを蓄えるメモリを持つメディアである。実施例１では、メディアを指定していないが、電子データを保存できるものであれば、特に限定する必要がない。
【００３６】
ＲＡＭ２７は、ＳＲＡＭ（ｓｔａｔｉｃ  ＲＡＭ）等で構成され、プログラム制御変数等を格納し、また、オペレータが登録した設定値や携帯端末２００の管理データ等を格納し、各種ワーク用バッファ領域が設けられている。
【００３７】
表示部２８は、情報を表示する表示部である。通信を行うための電話番号や、画像撮影した際の画像閲覧等、複数の用途として表示部が使用される。
【００３８】
外部Ｉ／Ｆ制御部２９は、外部機器と接続するインタフェースを制御し、実施例１では、画像記録装置１００とを接続する。接続方法として、画像記録装置１００とデータを送受できる方法であれば、他の接続方法を使用するようにしてもよい。
【００３９】
画像撮影部３０は、画像を撮影することができ、この撮影したデータを、デジタルデータとして、画像メモリ２３またはメモリカード２６に保存することができる。
【００４０】
通信部３１１は、携帯端末２００が通信する手段である。電話としての通信や、メール、携帯端末サイト等に使用することができる。
【００４１】
次に、画像記録装置１００の動作について説明する。
【００４２】
図３は、画像記録装置１００の動作を示すフローチャートであり、日付を検索条件とした場合における処理を示すフローチャートである。
【００４３】
ＣＰＵ１が携帯端末Ｉ／Ｆ１７を通して、携帯端末２００が接続されるまで待つ（Ｓ３０１）。Ｓ３０１で、携帯端末２００との接続が検知されると、操作部５を介してＲＡＭ３に予め設定された検索日付を読み込み、検索日付が何月何日を示す具体的な日付であるのか、または、“今日”等の相対的な日付（時）であるのかを判断する（Ｓ３０２）。
【００４４】
何月何日と具体的に指定されている場合、その設定されている日付を検索日付として決定する（Ｓ３０６）。
【００４５】
Ｓ３０２で相対的な日付と判断された場合、携帯端末２００の日付時刻と、画像記録装置１００の日付時刻との差を吸収するために、または、画像記録装置１００に時計機能がない場合には、携帯端末２００の日付時刻を利用するために、携帯端末Ｉ／Ｆ１７を通して、携帯端末２００の日付時刻を取得する（Ｓ３０３）。
【００４６】
次に、画像記録装置１００に時計機能があるか否かを判断する（Ｓ３０４）。画像記録装置１００に時計機能がないと判断されると、ＲＡＭ３に予め設定されている相対的な検索日付を、Ｓ３０３で取得した携帯端末２００の現在の日付から、何月何日という具体的な日付に変換し、その日付を検索日付として設定する（Ｓ３０６）。
【００４７】
画像記録装置１００に時計機能があると判断された場合（Ｓ３０４）には、画像記録装置１００の現在の日付時刻情報を取得し（Ｓ３０５）、Ｓ３０３で取得した携帯端末２００の現在の日付時刻と、Ｓ３０５で取得した画像記録装置１００の現在の日付時刻とに差がある場合、次の検索日付決定手順（１）、（２）によって、検索日付を決定する（Ｓ３０６）。
検索日付決定手順（１）：日付が同じであれば、その日付を検索日付とする。
検索日付決定手順（２）：日付が異なれば、日付と時刻との時間差を計算し、この計算された時間差が、所定時間内であれば、両方の日付を検索日付として設定する。時間差が、所定時間以外であれば、両日付のうちで、進んでいる日付を、検索日付とする。
【００４８】
上記検索日付決定手順（１）、（２）を用いることによって、時間差を柔軟に吸収することができ、また、ユーザが意図した画像を印字することができる。
【００４９】
次に、携帯端末２００に格納されている各画像データまたは文字データにおける作成日付時刻、データサイズ、ファイル名等を含むデータ情報を、データ毎に、携帯端末Ｉ／Ｆ１７を通して、携帯端末２００から取得する（Ｓ３０７）。
【００５０】
次に、Ｓ３０７で取得したデータ情報に基づいて、携帯端末２００に印字すべきデータが存在しているかどうかを判断する（Ｓ３０８）。印字すべきデータが存在していると判定された場合、Ｓ３０９に進む。印刷すべきデータが存在していない場合、処理を終了してもよく、また、検索条件を入力し、再度検索できるようにＳ３０２へ戻るようにしてもよい。
【００５１】
Ｓ３０９では、Ｓ３０６で決定した検索日付と、Ｓ３０７で取得したデータ情報における作成日付時刻とが同じであるか否かを調べる。検索日付とデータ作成日とが異なる場合、取得したデータ情報は、印刷対象ではないので、次のデータ情報を取得するために、Ｓ３０７に戻る。
【００５２】
検索日付とデータ作成日とが同じであると判定された場合、Ｓ３１０に進み、Ｓ３０７で取得したデータ情報から、本データのファイル名を検索し、携帯端末２００からデータ転送を行うように指示を送り、所定量単位でデータを受信し、画像メモリ４に蓄積する。このときに、データ転送を指示する前に、ユーザに対して転送される画像データの数量やデータ量等を確認表示できるようにしてもよい。
【００５３】
Ｓ３１１では、Ｓ３１０におけるデータ転送によって受信したデータを、印字可能なプリントデータに置き換え、携帯端末２００から受信したデータが、ＪＰＥＧ画像データである場合、そのＪＰＥＧ画像データを、ＪＰＥＧ処理部１１で伸長し、Ｙｃｂｃｒ色空間、ＲＧＢ色空間のいずれかに置き換え、色変換部１２に渡す。色変換部１２では、プリント可能なＣＭＹＫ空間に変換し、さらに、そのＣＭＹＫデータを誤差拡散方式等によって２値化したものを、記録制御部１３に渡し、カラープリンタ１４で出力する。また、携帯端末２００から受信したデータが、文字データである場合、ＲＯＭ２に記憶されている文字コード変換処理に従い、ＣＰＵ１が、文字コードを画像データに変換し、色変換部１２に渡す。
【００５４】
これによって、携帯端末２００からのデータが、画像、文字データのいずれでも印字可能となる。
【００５５】
Ｓ３１１で、プリントデータを作成し、記録制御部１３を通して、カラープリンタ１４で出力されると、残りのデータがあるか否かを判定し（Ｓ３１２）、まだ受信すべきデータがある場合、Ｓ３１０に戻り、データを受信し、受信すべきデータがなければ、次の画像データ、または文字データを検索するために、Ｓ３０７に戻る。Ｓ３０７以降の処理を繰り返すことによって、携帯端末２００の画像メモリ２３に蓄積されている全データを検索することができる。
【００５６】
実施例１によれば、携帯端末２００のデータを印字する際に、指定した日付のデータのみを自動で印字することができる。また、指定する日付、“今日”等の相対的な日付にすることによって、画像記録装置１００側の設定を毎回変更する必要がなく、一度設定すれば、常に最新のデータのみを印字することができる。
【００５７】
また、指定する日付を、“昨日”や“一昨日”等の相対的な日付にすることによって、所望のデータのみを印字することができる。
【００５８】
画像記録装置１００は、携帯端末２００と接続可能であり、画像、または文字データを記録可能であれば、ファクシミリ装置以外の画像処理装置であってもよい。
【実施例２】
【００５９】
実施例２は、印字対象とするメールアドレスを、画像記録装置１００に設定する実施例であり、受信メールの送信元メールアドレスを検索対象とする実施例である。この実施例２を、画像記録装置３００と呼ぶ。
【００６０】
なお、実施例２である画像記録装置３００の構成は、実施例１における画像記録装置１００の構成と同様であり、その説明を省略する。
【００６１】
図４は、本発明の実施例２である画像記録装置３００の動作を示すフローチャートである。
【００６２】
まず、ＣＰＵ１が、携帯端末Ｉ／Ｆを通して、携帯端末２００が接続されるまで待つ（Ｓ４０１）。Ｓ４０１で、携帯端末２００との接続が検知されると、受信メールに関する受信日、送信元メールアドレス、ファイル名等を含む受信メール情報を、携帯端末Ｉ／Ｆ１７を通して、携帯端末２００から取得する（Ｓ４０２）。
【００６３】
そして、Ｓ４０２で取得した受信メール情報から、携帯端末２００の画像メモリ２３に検索されていない受信メールデータが存在しているかどうかを判断する（Ｓ４０３）。Ｓ４０３で、検索されていない受信メールデータが存在していると判定された場合、Ｓ４０４に進む。Ｓ４０３で検索されていない受信メールデータが無いと判断されると、本処理を終了する。
【００６４】
Ｓ４０２で取得された受信メール情報から、送信元メールアドレスを検索し、その送信元メールアドレスと、ＲＡＭ３に操作部５で予め設定されている印字対象とするメールアドレスとを比較する（Ｓ４０４）。送信元メールアドレスと印字対象とするメールアドレスとが同じであると判定された場合（Ｓ４０４）、Ｓ４０２で取得した受信メール情報から、ファイル名を検索し、携帯端末２００からそのファイルのデータ転送を行うように指示を送り、所定量単位でデータを受信し、画像メモリ４に蓄積する（Ｓ４０５）。
【００６５】
Ｓ４０５で受信したデータを印字可能なプリントデータに置き換え、携帯端末２００から受信したデータがＪＰＥＧ画像データである場合、そのＪＰＥＧ画像データをＪＰＥＧ処理部１１で伸長し、Ｙｃｂｃｒ色空間、ＲＧＢ色空間のいずれかに置き換えてから、色変換部１２に渡す（Ｓ４０６）。色変換部１２では、プリント可能なＣＭＹＫ空間に変換し、さらに、そのＣＭＹＫデータを誤差拡散方式等によって２値化したものを、記録制御部１３に渡し、カラープリンタ１４で出力を行う。また、携帯端末２００から受信したデータが、文字データである場合、ＣＰＵ１がＲＯＭ２に記憶されている文字コード変換処理に従い、文字コードを画像データに変換し、色変換部１２に渡す。
【００６６】
これによって、携帯端末２００からのデータが、画像、文字データのいずれであっても、印字可能である。
【００６７】
Ｓ４０６でプリントデータを作成し、記録制御部１３を通して、カラープリンタ１４で出力されると、残りのデータが存在しているか否かを判定し（Ｓ４０７）、まだ受信すべきデータが存在している場合には、データを受信する（Ｓ４０５）。
【００６８】
受信すべきデータが存在していないと判断された場合（Ｓ４０７）、次の画像データ、または文字データを検索するために、Ｓ４０２に戻る。
【００６９】
Ｓ４０２以降の処理を繰り返すことによって、携帯端末２００の画像メモリ２３に蓄積されている全受信メールデータを検索することができる。
【００７０】
実施例２によれば、携帯端末２００のデータを印字する際に、印字する受信メールデータを送信元メールアドレスで指定することができる。
【００７１】
画像記録装置３００は、携帯端末２００と接続可能であり、画像、または文字データを記録可能であれば、ファクシミリ装置以外の画像処理装置であってもよい。
【実施例３】
【００７２】
本発明の実施例３は、ユーザが予め携帯端末２００で受信したデータに、所定のマークを付したデータのみを、印刷対象とする実施例である。この実施例３を、画像記録装置４００と呼ぶ。
【００７３】
実施例３である画像記録装置４００の構成は、実施例１における画像記録装置１００の構成と同様であり、その説明を省略する。
【００７４】
画像記録装置４００は、携帯端末２００で受信したデータをユーザが閲覧しているとき、または受信リストを参照しているときに、たとえば印刷を所望する旨の印刷マークを付す。そして、携帯端末２００が画像記録装置４００に接続されると、携帯端末Ｉ／Ｆ１７を通して、携帯端末２００から取得するデータ情報の中に、印刷マークが付されたデータが存在しているかどうかを調べる。この結果、そのマークが付されたデータが存在していると判定された場合、携帯端末２００からデータ転送を行うように指示を送り、所定量単位で、データを受信し、画像メモリ４に蓄積する。
【００７５】
その後は、実施例１、実施例２における処理と同様の処理を実行する。
【００７６】
なお、印刷の対象とするデータは、受信したメール本文だけでなく、メールに添付された画像であってもよい。
【００７７】
また、上記「所定のマーク」は、印刷を所望する旨を示すマークであるが、その他に、重要度を示すマークであってもよく、重要度を示すマークを付すようにすれば、その重要度のランクに応じて、データ転送の指示の有無を判定することができる。
【００７８】
実施例３によれば、携帯端末２００と接続したときに、ユーザが意図したデータのみを印字可能であり、したがって、無駄な紙、インク等の消費を抑えることができる。
【００７９】
画像記録装置４００は、携帯端末２００と接続可能であり、画像、または文字データを記録可能であれば、ファクシミリ装置以外の画像処理装置であってもよい。
【００８０】
また、上記実施例によれば、検索条件が日時であるので、ユーザが意図した日付に作成されたデータのみを印字することができる。
【００８１】
また、上記実施例によれば、検索条件が相対的な日付であるので、常に最新のデータのみを印字することができる。
【００８２】
また、上記実施例によれば、検索条件が、送信元のメールアドレスであるので、所定の相手からのメールデータのみを印字可能とすることができる。
【００８３】
また、上記実施例によれば、検索条件は、受信メールあるいは画像に付加されている“重要”、または“保護”等、所定のマークであるので、印刷を所望する旨のマークを検索条件とすることによってユーザが意図したデータを記録することができる。
【００８４】
また、上記実施例によれば、時計機能と、上記携帯端末内の日時データを取得する日時データ取得手段と、検索条件を決定する検索条件決定手段とを有し、上記検索条件決定手段は、上記日時データ取得手段が取得した上記携帯端末内の日時、上記時計機能から得られる自機内側の日時と、上記検索条件設定手段によって設定された検索条件とによって、検索条件を決定する手段であるので、携帯端末２００と画像記録装置との時間のずれがある場合でも、常に最新のデータのみを記録することができる。
【図面の簡単な説明】
【００８５】
【図１】本発明の実施例１である画像記録装置１００の構成を示すブロック図である。
【図２】画像記録装置１００と接続される携帯端末２００の概略構成を示すブロック図である。
【図３】画像記録装置１００の動作を示すフローチャートであり、日付を検索条件とした場合における処理を示すフローチャートである。
【図４】本発明の実施例２である画像記録装置３００の動作を示すフローチャートである。
【符号の説明】
【００８６】
１００、３００、４００…画像記録装置、
１…ＣＰＵ、
２…ＲＯＭ、
３…ＲＡＭ、
４…画像メモリ、
５…操作部、
６…読取制御部、
７…ＣＳ、
８…シート読取制御部、
９…ブック読取制御部、
１０…通信制御部、
１１…ＪＰＥＧ処理部、
１２…色変換部、
１３…記録制御部、
１４…カラープリンタ、
１５…カードリーダＩ／Ｆ部、
１６…カードリーダ、
１７…携帯端末Ｉ／Ｆ、
１８…携帯端末Ｉ／Ｆ制御部、
２００…携帯端末。
【図１】
2006035625.tif 000003
【図２】
2006035625.tif 000004
【図３】
2006035625.tif 000005
【図４】
2006035625.tif 000006